(57)【特許請求の範囲】
【請求項１】
コネクタ装着部が設けられ機器側端子が前記コネクタ装着部に臨んだ形態で収容された筐体と、
前記コネクタ装着部に嵌合され前記機器側端子と接続される電線側端子が装着されたコネクタと、
前記電線側端子と前記機器側端子とをボルト締結するために前記コネクタに設けられた開口部と、
前記コネクタの前記開口部を覆うべく前記筐体に対し前記コネクタの嵌合方向と同方向に着脱されるサービスカバーと、
前記サービスカバーの着脱と前記コネクタの着脱とを電気的に検知するインターロック回路と、が具備され、
前記インターロック回路は、前記筐体に設けられた機器側検知部と、前記機器側検知部と接続可能に前記コネクタに設けられたコネクタ側検知部と、前記コネクタ側検知部と接続可能に前記サービスカバーに設けられたカバー側検知部と、を備え、
かつ、前記カバー側検知部、前記コネクタ側検知部及び前記機器側検知部が、前記コネクタの嵌合方向に沿った一直線上に並んで配されている機器用コネクタ装置。
【請求項２】
前記機器側検知部は、前記筐体内に設けられた機器側収容部内に機器側検知端子が収容された構造であるとともに、
前記カバー側検知部は、前記サービスカバーの裏面に対向して設けられたカバー側収容部内にカバー側検知端子が収容された構造であり、
前記コネクタ側検知部は、前記コネクタに設けられたコネクタ側収容部内に、前記機器側検知端子と前記カバー側検知端子とが両端に接続可能な中継端子が収容された構造である請求項１に記載の機器用コネクタ装置。
【請求項３】
前記カバー側検知部は、前記サービスカバーの裏面において前記コネクタの嵌合方向と直交する方向の平面上での移動可能に支持されているとともに、
前記コネクタ側検知部は、前記コネクタに対し前記コネクタの嵌合方向と直交する方向の平面上での移動可能に支持されている請求項２に記載の機器用コネクタ装置。
【発明の詳細な説明】
【技術分野】
【０００１】
本明細書によって開示される技術は、インターロック回路を備えた機器用コネクタ装置に関する。
【背景技術】
【０００２】
機器用コネクタ装置の一例として、サービスカバーを利用して対応する端子同士をボルト締結する形式のものが知られている。具体的には、機器のケースに装着される筐体を備え、筐体の上面に開口されたコネクタ装着部に、機器側端子が装着された機器側コネクタが収容される一方、上記の機器側端子と重なる電線側端子が装着された電線側コネクタが、筐体の側面から装着されている。そして、サービスカバーを外すことで開放された筐体のコネクタ装着部を通して、機器側端子と電線側端子の重ね合わせ部分をボルト締めして接続することにより、所定の導電路（強電回路）が形成されるようになっている。
【０００３】
一方、この種のコネクタ装置では、高電圧に対する安全性等を図るためにインターロック回路が装備されている。例えば特開２００９−２１９２８４号公報（下記特許文献１）には、部材の着脱を伴う箇所、すなわち導電路の一部が露出する可能性のある箇所ごとに検知スイッチを設ける、具体的には、サービスカバーの着脱を検知する着脱検知スイッチと、両コネクタの嵌合・離脱を検知する嵌合検知スイッチと、の２個の検知スイッチを介設したインターロック回路が提案されている。
【先行技術文献】
【特許文献】
【０００４】
【特許文献１】特開２００９−２１９２８４号公報
【発明の概要】
【発明が解決しようとする課題】
【０００５】
しかしながら上記従来のインターロック回路では、サービスカバーの着脱検知スイッチが、機器側コネクタ（筐体）の上面側に、またコネクタの嵌合検知スイッチが、機器側コネクタ（筐体）の側面側にと離れて設けられているため、構造の複雑化と、装置の大型化は否めず、その改良が切望されていた。
本明細書によって開示される技術は、上記のような事情に基づいて完成されたものである。
【課題を解決するための手段】
【０００６】
本明細書によって開示される機器用コネクタ装置は、コネクタ装着部が設けられ機器側端子が前記コネクタ装着部に臨んだ形態で収容された筐体と、前記コネクタ装着部に嵌合され前記機器側端子と接続される電線側端子が装着されたコネクタと、前記電線側端子と前記機器側端子とをボルト締結するために前記コネクタに設けられた開口部と、前記コネクタの前記開口部を覆うべく前記筐体に対し前記コネクタの嵌合方向と同方向に着脱されるサービスカバーと、前記サービスカバーの着脱と前記コネクタの着脱とを電気的に検知するインターロック回路と、が具備され、前記インターロック回路は、前記筐体に設けられた機器側検知部と、前記機器側検知部と接続可能に前記コネクタに設けられたコネクタ側検知部と、前記コネクタ側検知部と接続可能に前記サービスカバーに設けられたカバー側検知部と、を備え、かつ、前記カバー側検知部、前記コネクタ側検知部及び前記機器側検知部が、前記コネクタの嵌合方向に沿った一直線上に並んで配されている構成である。
【０００７】
サービスカバーに設けられたカバー側検知部と、コネクタに設けられたコネクタ側検知部とにより、サービスカバーの着脱を検知する検知スイッチが、また、上記のコネクタ側検知部と、筐体に設けられた機器側検知部とにより、コネクタの着脱を検知する検知スイッチとが構成される。これにより、部材の着脱を伴う２箇所、すなわち導電路の一部が露出する可能性のある２箇所にそれぞれ検知スイッチを介設したインターロック回路が構築される。しかも、両検知スイッチは、コネクタの嵌合方向に沿った一直線上に並んで配されているから、構造が簡略化でき、装置全体の小型化を図ることができる。
【０００８】
また、以下のような構成としてもよい。
前記機器側検知部は、前記筐体内に設けられた機器側収容部内に機器側検知端子が収容された構造であるとともに、前記カバー側検知部は、前記サービスカバーの裏面に対向して設けられたカバー側収容部内にカバー側検知端子が収容された構造であり、前記コネクタ側検知部は、前記コネクタに設けられたコネクタ側収容部内に、前記機器側検知端子と前記カバー側検知端子とが両端に接続可能な中継端子が収容された構造である。
中継端子の両端にカバー側検知端子と機器側検知端子が接続されるといった簡単な構造で以て、２個の検知スイッチが嵌合方向に沿った一直線上に並んで配されたインターロック回路が具現化できる。
【０００９】
前記カバー側検知部は、前記サービスカバーの裏面において前記コネクタの嵌合方向と直交する方向の平面上での移動可能に支持されているとともに、
前記コネクタ側検知部は、前記コネクタに対し前記コネクタの嵌合方向と直交する方向の平面上での移動可能に支持されている。
カバー側検知部はサービスカバーに対し、また、コネクタ側検知部はコネクタに対してそれぞれフローティング構造をなして支持されているから、各検知部に設けられた検知端子並びに中継端子の芯ずれを吸収しつつ、正確に一列に並んだ状態に接続することができる。
【発明の効果】
【００１０】
本明細書によって開示される技術によれば、装置の構造の簡素化、小型化を図った上で、部材の着脱を伴う２箇所にそれぞれ検知スイッチを介設したインターロック回路を構築することができる。
【図面の簡単な説明】
【００１１】
【図１】実施形態に係るコネクタ装置の分解斜視図
【図２】筐体の部分平面図
【図３】コネクタの分解斜視図
【図４】同平面図
【図５】サービスカバーの表裏反転させた状態の斜視図
【図６】同平面図
【図７】サービスカバーの下方から視た分解斜視図
【図８】コネクタ装置の分解断面図
【図９】コネクタ装置の斜視図
【図１０】同断面図
【図１１】図１０のXIーXI線拡大断面図
【発明を実施するための形態】
【００１２】
＜実施形態＞
実施形態を図１ないし図１１に基づいて説明する。
本実施形態は、バッテリと車載機器とを結ぶ電気系統に介設される機器用コネクタ装置Ｃを例示しており、図１に示すように、機器の一例であるインバータの筐体１０と、同筐体１０に嵌合される２個のコネクタ２０，２０Ｘと、両コネクタ２０，２０Ｘを覆って装着されるサービスカバー５０と、を備えている。
【００１３】
２個のコネクタとしては、インバータとバッテリとを接続する＋−の２極コネクタ２０と、インバータと３相モータとを接続するＵ相、Ｖ相、Ｗ相の３極コネクタ２０Ｘとを例示しているが、本開示技術は、２極コネクタ２０の配設部分の構造に特徴を有しているから、以下には、主に２極コネクタ２０の配設部分の構造を説明する。３極コネクタ２０Ｘについては、極数は異なるものの基本的な構造は２極コネクタ２０と同様であるため、３極コネクタ２０Ｘ並びにその配設構造に関し、２極コネクタ２０と同一機能を有する部位、部材については、２極コネクタ２０側に適用した符号に添え字「Ｘ」を付すことで、適宜に説明を省略し、または簡略化する。
【００１４】
筐体１０はアルミダイキャスト製であって、シールド体としての機能も兼用しており、概ね箱状に形成されている。筐体１０の上面には、２極コネクタ２０（以下、コネクタ２０）と、３極コネクタ２０Ｘとがそれぞれ嵌合される背の低い環形筒状をなすコネクタ装着部１２，１２Ｘが形成されている。筐体１０の上面におけるコネクタ装着部１２，１２Ｘの回りには、ねじ孔１５が切られた支持柱１４が複数本（図示４本）立てられている。
【００１５】
コネクタ２０は、図３及び図４に示すように、合成樹脂製のハウジング３０内に、電線２１（被覆電線）の端末に接続された２個のバスバー端子２２（電線側端子）が収容されるようになっている。ハウジング３０には、図８に示すように、筐体１０のコネクタ装着部１２内に上方から緊密に嵌合可能な嵌合部３１と、バスバー端子２２が側方から挿入可能な端子挿入部３２と、サービスカバー５０（以下、カバー５０）の閉鎖部５２が上方から緊密に嵌合可能な開口部３３と、が設けられている。
【００１６】
嵌合部３１の外周には、コネクタ装着部１２の内周に密着するシールリング３４が嵌着されている。嵌合部３１の基端側（図８の右側）の領域には、金属スリーブ３５を落下不能に挿通したスリーブ挿通部３６が２個並んで形成されている。嵌合部３１がコネクタ装着部１２に正規に嵌合された場合には、図１０に示すように、金属スリーブ３５の下面に、上記した筐体１０内に設けられた機器側端子１７と、ナット１８とが配されるようになっている。
嵌合部３１の先端側の一側には、後記するコネクタ側検知コネクタ７０の支持部８４が設けられている（図４参照）。
【００１７】
バスバー端子２２は、図８に示すように、電線２１の端末に露出された芯線２１Ａに接続されており、先端部にボルト挿通孔２３が開口されている。バスバー端子２２が端子挿入部３２に挿入され、同図に示すように、先端のボルト挿通孔２３が金属スリーブ３５の上面に対応する位置に達したところで、バスバー端子２２はランス３７によって抜け止めされ、併せて、絶縁被覆２１Ｂの端末に嵌着されたゴム栓３８により、端子挿入部３２の入口が止水されるようになっている。
【００１８】
端子挿入部３２には、コネクタ側シールドシェル４０が外嵌されている。コネクタ側シールドシェル４０は、端子挿入部３２を覆う筒状接続部４１を有し、同筒状接続部４１には電線２１を覆うシールド筒体（図示せず）が被せられて、かしめリング４２により固定されている。
【００１９】
カバー５０は、図５ないし図７に示すように、カバー側シールドシェル５１の下面に、コネクタ２０，２０Ｘの開口部３３，３３Ｘに上方から緊密に嵌合される合成樹脂製の閉鎖部５２，５２Ｘが並べて配され、ワッシャ付きボルト５３で固定された構造である。閉鎖部５２，５２Ｘは、概ね下面開放の背の低い筒形に形成され、閉鎖部５２，５２Ｘの外周には、開口部３３，３３Ｘの内周に密着されるシールリング５４，５４Ｘが嵌着されている。
【００２０】
カバー側シールドシェル５１には、筐体１０の上面に立てられた支持柱１４と対応した４箇所に、取付ボルト５５の挿通孔５６が形成されている。後記するように、筐体１０のコネクタ装着部１２，１２Ｘにコネクタ２０，２０Ｘが装着された状態から、裏面に設けた両閉鎖部５２，５２Ｘを対応するコネクタ２０，２０Ｘの開口部３３，３３Ｘに嵌めるようにしてカバー５０を被せると、カバー側シールドシェル５１の挿通孔５６が支持柱１４のねじ孔１５と整合される。係る状態から、挿通孔５６に通した取付ボルト５５をねじ孔１５に螺合してねじ込むと、閉塞部５２，５２Ｘがコネクタ２０，２０Ｘの開口部３３，３０Ｘを密閉した状態で、カバー５０が筐体１０に取り付けられる。
【００２１】
なお、上記したサービスカバー５０の装着に伴い、カバー側シールドシェル５１と、各コネクタ２０，２０Ｘに装着されたコネクタ側シールドシェル４０，４０Ｘとが、取付ボルト５５の共締めにより結合され、このカバー側シールドシェル５１とコネクタ側シールドシェル４０，４０Ｘによってコネクタ装置Ｃの全体が覆われるようになっている。
【００２２】
続いて、インターロック回路６０について説明する。インターロック回路６０は、図８に示すように、筐体１０内に設けられたインターロックコネクタ６５（機器側検知部）と、コネクタ２０に設けられたコネクタ側検知コネクタ７０（コネクタ側検知部）と、カバー５０に設けられたカバー側検知コネクタ９０（カバー側検知部）と、を備えて構成されている。
【００２３】
インターロックコネクタ６５は、図２に示すように、筐体１０に設けられたコネクタ装着部１２内における同図の左上の隅に寄った位置で、かつ、図８に示すように、コネクタ装着部１２から下方に所定寸法離間した位置において固定的に設けられている。インターロックコネクタ６５は、上面開口の角形のフード状をなす合成樹脂製のハウジング６６を有しており、インバータ側から引き出された一対のリード線（図示せず）に接続された２本のピン状の雄端子６７（機器側検知端子）が、底壁６６Ａを貫通してハウジング６６内に並んで立設された構造となっている。
【００２４】
コネクタ側検知コネクタ７０は、図３に示すように、合成樹脂製のハウジング７５内に、２本の中継端子７１が収容された構造である。中継端子７１はより詳細には、両端に雌端子７３Ａ，７３Ｂを設けたサブ中継端子７２と、細長いピン状の雄端子７４とから構成されている。
ハウジング７５は全体として縦長の角柱状をなしており、図８に示すように、フランジ７６を挟んだ下側に、上記したインターロックコネクタ６５のハウジング６６内に嵌合可能で、２個のキャビティ７８が形成されたタワー部７７が形成されているとともに、上側には、上面開口のフード部７９が形成されている。
【００２５】
ハウジング７５内には、２本の雄端子７４が仕切壁８０を貫通して並んで装着され、各雄端子７４の下接続部７４Ａがキャビティ７８内に進入し、上接続部７４Ｂがフード部７９内に突出している。この状態から、タワー部７７の各キャビティ７８にサブ中継端子７２が下方から挿入され、上側の雌端子７３Ｂがキャビティ７８内に突出した雄端子７４の下接続部７４Ａと嵌合接続された状態において、タワー部７７の下端に後付けされた底壁部材８２によりサブ中継端子７２の落下止めがなされている。底壁部材８２には、インターロックコネクタ６５の雄端子６７が挿入される端子挿入口８２Ａが開口されている。
【００２６】
上記のようにサブ中継端子７２の上側の雌端子７３Ｂと、雄端子７４の下接続部７４Ａが嵌合接続されることにより、相手端子と接続されるべく雄端子７４の上接続部７４Ｂと、下側の雌端子７３Ａとを上下両端に配した中継端子７１が形成される。言い換えると、ハウジング７５内には上記のように形成された中継端子７１が、雄端子７４の上接続部７４Ｂをフード部７９内に突出させ、下側の雌端子７３Ａをタワー部７７のキャビティ７８の下端部に収めた形態において、２本並んで装着されている。
【００２７】
コネクタ２０におけるハウジング３０の嵌合部３１には、図８に示すように、上記したコネクタ側検知コネクタ７０を支持する支持部８４が設けられている。この支持部８４は、ハウジング７５のフランジ７６の外形よりも一回り大きい内形を備えた上面開口でかつ有底の筒形に形成されている。図１０に示すように、底壁８４Ａには、ハウジング７５のタワー部７７を遊嵌する挿通孔８５が開口されている。
【００２８】
コネクタ側検知コネクタ７０は、ハウジング７５のタワー部７７が底壁８４Ａの挿通孔８５に遊嵌されつつ支持部８４内に上方から挿通され、フランジ７６が底壁８４Ａにおける挿通孔８５の孔縁部に当たったところで、落下不能に支持される。この状態から、支持部８４の上端部に筒形の押さえ部材８６が嵌着され、フランジ７６の上面に係止することで、コネクタ側検知コネクタ７０の上方への抜け止めが図られる。
【００２９】
以上により、コネクタ側検知コネクタ７０は、コネクタ２０のハウジング３０に設けられた支持部８４において、ハウジング７５のタワー部７７を支持部８４の底壁８４Ａの下方に突出させ、かつ、フランジ７６の外面と支持部８４の内面の間のクリアランスの分、ハウジング７５の軸線（縦軸）と直交した水平面上での移動自由に支持された状態となる。すなわちフローティング構造が構築される。
【００３０】
カバー側検知コネクタ９０は、図７及び図８に示すように、合成樹脂製のハウジング９５内に、２本の雌端子９１（カバー側検知端子）が収容された構造である。両雌端子９１は電線９２で接続されて短絡されている。
ハウジング９５は、コネクタ側検知コネクタ７０のハウジング７５におけるフード部７９に内嵌可能で、２個のキャビティ９６Ａが形成された下向きの端子収容部９６と、同端子収容部９６の上端から後方に延出された電線収容部９６と、端子収容部９６の上端部から左右に張り出し形成された被支持板９８とを備えている。
【００３１】
カバー側検知コネクタ９０は、ハウジング９５における端子収容部９６のキャビティ９６Ａ内に雌端子９１が上方から挿入され、リテーナ９９により抜け止めされて収容されるとともに、両雌端子９１を短絡した電線９２が電線収容部９７に収容されて形成されている。
【００３２】
このようなカバー側検知コネクタ９０が、カバー５０に設けられた閉鎖部５２の天井面５２Ａに、同天井面５２Ａに沿った移動可能に支持されている。そのため、閉鎖部５２の天井面５２Ａにおける所定位置、すなわち、コネクタ２０に設定されたコネクタ側検知コネクタ７０の支持部８４の上方に対応する位置には、ハウジング９５に張り出し形成された一対の被支持板９８の張り出し端を嵌める溝１０１を設けた支持レール１００が、対向した形態で形成されている。支持レール１００は、左右方向（図８における紙面の表裏方向）に沿って延び、かつ両溝１０１の奥面の間隔が、両被支持板９８の張り出し端間の寸法よりも若干大きく設定されている。
以上により、カバー側検知コネクタ９０は、端子収容部９６を垂設した形態において、端子収容部９６の軸線（縦軸）と直交した水平面上での移動可能に支持された状態となる。同じくフローティング構造が構築されている。
【００３３】
本実施形態のインターロック回路６０では端的には、図８に示すように、筐体１０内に設けられたインターロックコネクタ６５と、コネクタ２０に設けられたコネクタ側検知コネクタ７０と、カバー５０に設けられたカバー側検知コネクタ９０とが、コネクタ２０の嵌合方向に沿った縦向きの直線ＶＬ上に並んで配されている。
また、図１０に示すように、カバー側検知コネクタ９０とコネクタ側検知コネクタ７０とによって第１検知スイッチ６１が、コネクタ側検知コネクタ７０とインターロックコネクタ６５とによって第２検知スイッチ６２が、それぞれ構成されている。
【００３４】
続いて、本実施形態の作用を説明する。
コネクタ装置Ｃは、以下のような手順で組み立てられる。既述した要領で形成されたコネクタ２０と３極コネクタ２０Ｘとが、それぞれ筐体１０に設けられたコネクタ装着部１２，１２Ｘに装着される。
コネクタ２０側では詳細には、図１０に示すように、コネクタ２０に設けられた嵌合部３１が、筐体１０のコネクタ装着部１２内に嵌着される。これに伴い、コネクタ側検知コネクタ７０のハウジング７５（タワー部７７）が、筐体１０内に設けられたインターロックコネクタ６５のハウジング６６と嵌合される。このとき、タワー部７７とインターロックコネクタ６５のハウジング６６とが芯ずれしていると、コネクタ側検知コネクタ７０のハウジング７５が支持部８４内において水平面上で移動して芯合わせされつつ嵌合される。嵌合が完了すると、中継端子７１における下側の雌端子７３Ａと、対応する雄端子６７とが接続され、インターロック回路６０における第２検知スイッチ６２が閉じた状態となる。ただし、第１検知スイッチ６１は開放されたままであるから、インターロック回路６０はオフ状態である。
【００３５】
このとき、図１０に示すように、嵌合部３１のスリーブ挿通部３６に挿通された金属スリーブ３５の下端が、筐体１０内の機器側端子１７の上面に配されるから、コネクタ２０のハウジング３０の開口部３３から接続ボルト１９を金属スリーブ３５に挿通してナット１８に締結する。これにより、接続ボルト１９の頭部１９Ａと金属スリーブ３５の上端面との間にバスバー端子２２が挟持され、また、金属スリーブ３５の下端面とナット１８の間に機器側端子１７が挟持されることとなって、バスバー端子２２と機器側端子１７とが金属スリーブ３５を介して導通可能に接続され、給電用の導通路が形成される。
【００３６】
コネクタ２０と３極コネクタ２０Ｘとが装着されたら、両コネクタ２０，２０Ｘを覆うようにしてカバー５０が装着される。カバー５０は、閉鎖部５２，５２Ｘをコネクタ２０，２０Ｘの開口部３３，３３Ｘに嵌合しつつ被せられ、カバー側シールドシェル５１に設けられた４箇所の挿通孔５６に取付ボルト５５を通して、コネクタ側シールドシェル４０，４０Ｘを挟んで支持柱１４のねじ孔１５にねじ込むことによって、筐体１０に対して固定され、コネクタ装置Ｃの組み立てが完了する（図９参照）。
【００３７】
上記したカバー５０の被着動作の間に、コネクタ２０側では、カバー側検知コネクタ９０のハウジング９５の端子収容部９６が、コネクタ側検知コネクタ７０のハウジング７５のフード部７９内に嵌合される。このとき、端子収容部９６とフード部７９とが芯ずれしていると、カバー側検知コネクタ９０のハウジング９５がカバー側シールドシェル５１の裏面に沿うように水平面上で移動して芯合わせされつつ嵌合される。嵌合が完了すると、図１０及び図１１に示すように、カバー側検知コネクタ９０に配された雌端子９１と、コネクタ側検知コネクタ７０に配された中継端子７１における雄端子７４の上接続部７４Ｂとが接続され、インターロック回路６０における第１検知スイッチ６１が併せて閉鎖された状態となる。これにより、インターロック回路６０はオン状態となり、導通路が通電可能な状態となる。
【００３８】
メンテナンス等において、コネクタ２０（２０Ｘ）を筐体１０から外す場合は、図９に示す状態から、まず４本の取付ボルト５５を緩めて、閉鎖部５２（５２Ｘ）をコネクタ２０（２０Ｘ）の開口部３３（３３Ｘ）から抜きつつカバー５０を上方に外す。上記に伴い、カバー側検知コネクタ９０のハウジング９５の端子収容部９６が、コネクタ側検知コネクタ７０のハウジング７５のフード部７９から離脱され、カバー側検知コネクタ９０に配された雌端子９１と、コネクタ側検知コネクタ７０に配された中継端子７１における雄端子７４の上接続部７４Ｂとの接続が解除される。これにより、第１検知スイッチ６１が開いてインターロック回路６０がオフ状態となる。
【００３９】
次に、コネクタ２０のハウジング３０の開口部３３からレンチ等の工具を入れて接続ボルト１９を緩める。接続ボルト１９は、給電用の導通路の一部を構成しているが、上記のようにインターロック回路６０がオフとなって、導電路への通電が遮断されているから、接続ボルト１９を緩める作業は支障なく行われる。
接続ボルト１９が少なくともナット１８から外されたら、嵌合部３１を筐体１０のコネクタ装着部１２から抜きつつコネクタ２０が上方に外される。これに伴い、コネクタ側検知コネクタ７０のハウジング７５のタワー部７７が、筐体１０内に固設されたインターロックコネクタ６５のハウジング６６から離脱され、コネクタ側検知コネクタ７０に配された中継端子７１の下端の雌端子７３Ａと、インターロックコネクタ６５に配された雄端子６７との接続が解除され、第２検知スイッチ６２も開いた状態となる。
【００４０】
メンテナンスの終了後は、既述した要領で、改めてコネクタ装置Ｃが組み立てられる。なお、この再度組み立てられる場合等において、例えばコネクタ２０が装着されることなく、カバー５０が筐体１０に取り付けられた状態が、構造上で現出される可能性がある。この場合は、導電路の一部である機器側端子１７がコネクタ装着部１２を通して外部に露出した状態になるのであるが、インターロック回路６０においては、インターロックコネクタ６５と、カバー側検知コネクタ９０とが完全に離間しており、概念的には第１検知スイッチ６１と第２検知スイッチ６２の両方が開いてインターロック回路６０がオフ状態にあり、導通路すなわち機器側端子１７への通電は遮断された状態にある。
【００４１】
以上のように本実施形態によれば、カバー５０に設けられたカバー側検知コネクタ９０と、コネクタ２０に設けられたコネクタ側検知コネクタ７０とにより、カバー５０の着脱を検知する第１検知スイッチ６１が、また、上記のコネクタ側検知コネクタ７０と、筐体１０に設けられたインターロックコネクタ６５とにより、コネクタ２０の着脱を検知する第２検知スイッチ６２とが構成され、これにより、部材の着脱を伴う２箇所、すなわち導電路の一部が露出する可能性のある２箇所にそれぞれ検知スイッチ６１，６２を介設したインターロック回路６０が構築される。ここで両検知スイッチ６１，６２は、コネクタ２０の嵌合方向に沿った一直線上に並んで配されているから、構造が簡素化でき、装置全体の小型化を図ることができる。
【００４２】
カバー側検知コネクタ９０はカバー５０に対し、また、コネクタ側検知コネクタ７０はコネクタ２０に対して、いわゆるフローティング構造をなして支持されているから、カバー側検知コネクタ９０に設けられた雌端子９１（カバー側検知端子）、コネクタ側検知コネクタ７０に設けられた中継端子７１、及びインターロックコネクタ６５に設けられた雄端子６７（機器側検知端子）との間に芯ずれがあったとしても、フローティング構造を利用して芯ずれを吸収しつつ、各端子９１，７１，６７を正確に一列に並んだ状態で接続することができる。
【００４３】
＜他の実施形態＞
本明細書で開示される技術は、上記記述及び図面によって説明した実施形態に限定されるものではなく、例えば次のような実施形態も含まれる。
（１）コネクタ検知部に配された中継端子の構造は、上記実施形態に例示したものに限らず、要は、機器側検知端子とカバー側検知端子とを両端に接続可能である限り任意の構造としてもよい。
（２）上記実施形態では、機器側端子と電線側端子とを金属スリーブを挟んでボルト締結する形式のものを例示したが、これに限らず、両端子を重ねてボルト締結する等、他の形式でボルト締結するものにも適用可能である。
（３）上記実施形態では、２極コネクタと３極コネクタとを併せて装着した形態のコネクタ装置を例示したが、２極コネクタを単独で装着した形態のコネクタ装置にも、同様に適用可能である。
（４）上記実施形態では、電源と車載機器とを結ぶ電気系統に介設される機器用コネクタ装置を例示したが、他の電気系統を構成するべく機器に装着されるコネクタ装置全般に広く適用することができる。
【符号の説明】
【００４４】
Ｃ…機器用コネクタ装置
１０…筐体
１２…コネクタ装着部
１７…機器側端子
１９…接続ボルト
２０…２極コネクタ（コネクタ）
２２…バスバー端子（電線側端子）
３３…開口部
５０…サービスカバー
５２…閉鎖部
６０…インターロック回路
６５…インターロックコネクタ（機器側検知部）
６６…ハウジング（機器側収容部）
６７…雄端子（機器側検知端子）
７０…コネクタ側検知コネクタ（コネクタ側検知部）
７１…中継端子
７５…ハウジング（コネクタ側収容部）
８４…支持部
９０…カバー側検知コネクタ（カバー側検知部）
９１…雌端子（カバー側検知端子）
９５…ハウジング（カバー側収容部）
１００…支持レール
ＶＬ…直線
【図１】
0006575821.tif 000002
【図２】
0006575821.tif 000003
【図３】
0006575821.tif 000004
【図４】
0006575821.tif 000005
【図５】
0006575821.tif 000006
【図６】
0006575821.tif 000007
【図７】
0006575821.tif 000008
【図８】
0006575821.tif 000009
【図９】
0006575821.tif 000010
【図１０】
0006575821.tif 000011
【図１１】
0006575821.tif 000012